(57)【要約】膝関節の柔軟性リハビリテーション装置であって、第１の支持足部及び該第１の支持足部に取り付けられているブラケットを有する筒状の支柱であって、第１の孔を形成する、筒状の支柱と、筒状の支柱内に並進移動可能及び回転可能に配置される高さ調整棒であって、高さ調整棒の断面を通って延びる複数の第２の孔を形成する、高さ調整棒と、高さ調整棒に対してほぼ直交するように固定される支持棒であって、パッド付きの支持棒は、膝関節後部を受け入れるように構成されている、支持棒と、ブラケットに回動可能に接続される支持支柱であって、第２の支持足部が取り付けられており、平行な筒状の支柱から離れるように回動可能であり、筒状の支柱に対して鋭角を形成する、支持支柱と、複数の第２の孔のうちの１つに取り外し可能に配置されるピンであって、高さ調整棒を一方向への並進移動に抗して固定する、ピンとを備える、膝関節の柔軟性リハビリテーション装置。
2017508584.tif 000002
【特許請求の範囲】
【請求項１】
膝関節の柔軟性リハビリテーション装置であって、
第１の支持足部、及び、該第１の支持足部に取り付けられているブラケットを有する筒状の支柱であって、第１の孔を形成する、筒状の支柱と、
前記筒状の支柱内に並進移動可能及び回転可能に配置される高さ調整棒であって、該高さ調整棒の直径を通って延びる複数の第２の孔を形成する、高さ調整棒と、
前記高さ調整棒に対してほぼ直交するように固定される支持棒であって、パッド付きの支持棒は、膝関節後部を受け入れるように構成されている、支持棒と、
前記ブラケットに回動可能に接続される支持支柱であって、第２の支持足部が取り付けられており、平行な前記筒状の支柱から離れるように回動可能であり、該筒状の支柱に対して鋭角を形成する、支持支柱と、
前記複数の第２の孔のうちの１つに取り外し可能に配置されるピンであって、前記高さ調整棒を一方向への並進移動に抗して固定する、ピンと
を備える、膝関節の柔軟性リハビリテーション装置。
【請求項２】
前記ピンは、前記第１の孔に更に取り外し可能に配置され、前記高さ調整棒を回転及び並進移動に抗して固定する、請求項１に記載の装置。
【請求項３】
前記第１の足部は、前記筒状の支柱に対してほぼ直交しており、前記第２の足部は、前記支持支柱に対してほぼ直交している、請求項１に記載の装置。
【請求項４】
前記支持棒はパッド付きである、請求項１に記載の装置。
【請求項５】
前記ブラケットは、前記支持支柱が前記筒状の支柱から離れて所定の角度を越えて移動することを防止するように構成されている、請求項１に記載の装置。
【請求項６】
請求項２に記載の前記装置を使用する方法であって、
患者を、ほぼ水平な表面上で仰臥位の向きにするステップと、
前記患者の脚を持ち上げるステップと、
前記装置を前記患者の脚の下に配置するステップであって、前記第１の支持足部が前記患者の臀部に隣接し、前記筒状の部材が前記患者の脚の太腿にほぼ平行であるようにする、配置するステップと、
前記高さ調整棒を並進移動させるステップであって、前記支持棒が前記患者の脚の膝関節後部に接触するか又は膝関節後部に近接するようにする、並進移動させるステップと、
前記患者の脚の下側部分が片持ち梁式に前記支持棒を越えて延びることを可能にすることで、前記下側部分に対する重力を可能にして前記膝関節のリハビリテーションを促進するようにするステップと
を備える方法。
【請求項７】
前記高さ調整棒が台に向かって並進移動することを防止するように、前記ピンを前記複数の第２の孔のうちの１つに挿入するステップを更に備える請求項６に記載の方法。
【請求項８】
前記高さ調整棒の並進移動及び回転を防止するように、前記ピンを前記第１の孔及び前記複数の第２の孔のうちの１つに挿入するステップを更に備える請求項６に記載の方法。
【発明の詳細な説明】
【技術分野】
【０００１】
開示される方法及び装置は、包括的には、膝関節の理学療法に関する。
【背景技術】
【０００２】
膝関節の解剖学的構造は、３つの骨からなる。これらの３つの特定の骨は、大腿骨、脛骨及び膝蓋骨（膝頭）である。膝蓋骨は、膝関節の前方に位置し、膝の前方部分の部分的な保護を提供する。通常、骨は、靭帯によって他の骨に接続されている。具体的には、膝関節は、膝関節の安定性を維持するために、大腿骨及び脛骨を一緒に連結する弾力性のある弾性ケーブルとして機能する４つの靭帯を有する。
【０００３】
側副靭帯が、膝関節の対向する平行な側に垂直に位置する。内側側副靭帯が、膝関節の内方の外側に位置し、大腿骨及び脛骨を連結する。外側側副靭帯が、膝関節の外方の外側に位置し、同様に大腿骨及び脛骨を連結する。側副靭帯の目的は、膝関節の側方への動きを制御し、したがって、膝関節を、異常な移動に抗して支持することである。
【０００４】
十字靭帯は、膝関節内に位置し、「Ｘ」の全体的な形態で互いに交差する。前十字靭帯が、前方に、膝蓋骨の後ろに位置し、後十字靭帯が後方に位置し、大腿骨及び脛骨を連結し、膝関節の前方及び後方への移動を制御するという目的を有する。
【０００５】
膝関節の手術、又は、膝関節置換、若しくは、何らかの断裂若しくは損傷した前述した靭帯の置換若しくは治療等の他のタイプの膝関節の治療、骨折及び骨折の手術、又は、内固定手術が完了すると、又は、関節炎状態の治療、若しくは、半月板の治療、若しくは、膝損傷の回復、正常な膝関節の柔軟性、可動域及び強度を取り戻すために、通常、理学療法リハビリテーションプログラムを必要とする。
【０００６】
膝の手術、又は、関節炎の治療、又は、損傷の治療、又は、膝関節の他の処置若しくは治療過程の後で、理学療法を、関連する靭帯及び筋肉の柔軟さの復元とともに、膝関節の完全な痛みのない動きを回復することに有益に適用することができる。回復後に、膝関節の正常な機能を取り戻すことに焦点を当てた膝関節強化プログラムを行うことができる。理学療法プログラムは、筋肉及び腱を、それらの以前の柔軟性まで漸進的に伸張させる。最終的なリハビリテーション段階は、正常な膝関節機能の完全な回復を促す。
【発明の概要】
【発明が解決しようとする課題】
【０００７】
膝関節の重力アシスト受動屈曲のための装置及び方法が依然として必要とされている。
【課題を解決するための手段】
【０００８】
膝関節の柔軟性リハビリテーション装置は、第１の支持足部、及び、第１の支持足部に取り付けられているブラケットを有する筒状の支柱であって、第１の孔を形成する、筒状の支柱と、筒状の支柱内に並進移動可能及び回転可能に配置される高さ調整棒であって、高さ調整棒の断面を通って延びる複数の第２の孔を形成する、高さ調整棒と、高さ調整棒に対してほぼ直交するように固定される支持棒であって、パッド付きの支持棒は、膝関節後部を受け入れるように構成されている、支持棒と、ブラケットに回動可能に接続される支持支柱であって、第２の支持足部が取り付けられており、平行な筒状の支柱から離れるように回動可能であり、筒状の支柱に対して鋭角を形成する、支持支柱と、複数の第２の孔のうちの１つに取り外し可能に配置されるピンであって、高さ調整棒を一方向への並進移動に抗して固定する、ピンとを備えることができる。ピンは、第１の孔に更に取り外し可能に配置され、高さ調整棒を回転及び並進移動に抗して固定することができる。第１の足部は、筒状の支柱に対してほぼ直交し、第２の足部は、支持支柱に対してほぼ直交してもよい。支持棒はパッド付きであるものとすることができる。ブラケットは、支持支柱が筒状の支柱から離れて所定の角度を越えて移動することを防止するように構成することができる。
【０００９】
上述の装置を使用する方法は、患者を、ほぼ水平な表面上で仰臥位の向きにするステップと、患者の脚を持ち上げるステップと、装置を患者の脚の下に配置するステップであって、第１の支持足部が患者の臀部に隣接し、筒状の部材が患者の脚の太腿にほぼ平行であるようにする、配置するステップと、高さ調整棒を並進移動させるステップであって、支持棒が患者の脚の膝関節後部に接触するか又は膝関節後部に近接するようにする、並進移動させるステップと、患者の脚の下側部分が片持ち梁式に支持棒を越えて延びることを可能にすることで、下側部分に対する重力によって膝関節のリハビリテーションを促進できるようにするステップとを備えることができる。この方法は、高さ調整棒が台に向かって並進移動することを防止するように、ピンを複数の第２の孔のうちの１つに挿入するステップを更に備えることができる。この方法は、高さ調整棒の並進移動及び回転を防止するように、ピンを第１の孔及び複数の第２の孔のうちの１つに挿入するステップを更に備えることができる。
【図面の簡単な説明】
【００１０】
【図１】膝関節柔軟性リハビリテーション用の装置の１つの実施形態の斜視図である。
【図２】三角形の支持フレーム構造、パッド付きの水平な膝後部支持棒、及び、調整可能な直線移動機能を明らかにする、図１の実施形態の側面図である。
【図３】図２の実施形態を使用する方法を示す図である。
【図４】図１の装置の分解図である。
【発明を実施するための形態】
【００１１】
開示されるのは、具体的には、膝関節の手術、又は、膝関節置換、若しくは、何らかの断裂若しくは損傷した前述した靭帯の置換若しくは治療等の他のタイプの膝関節の治療、骨折及び骨折の手術、又は、内固定手術後の膝関節の柔軟性のリハビリテーションに、又は、関節炎状態の治療、若しくは、半月板の治療、若しくは、膝損傷の回復、正常な膝関節の柔軟性、可動域及び強度を取り戻すために適合される、受動的な整復のための膝関節用の柔軟性治療装置及び方法である。筋肉のけいれん、痛み及び腫れを低減することが可能な装置は、非手術的大腿骨及び脛骨、関節炎、損傷を受けた、骨折した、又は、術後の回復中の膝関節に関する、後部交差点の適切な満足のいく安定した支持を提供するような構成を有し、痛み、圧力、腫れ及び全体的な不快感を軽減するために、漸進的な膝関節の筋肉及び腱の伸張、並びに、膝関節の機械的な減圧に向けて計画的な重力アシスト受動屈曲を促す。
【００１２】
開示される装置の構成は、調整可能な直線摺動ロッドの上に配置されるパッド付きの膝後部支持棒を備えることができ、それによって、上記ロッドは、僅かにより大きい協働する支持支柱管内に収容されている間に、制御された距離を移動することができる。ロック機構を用いることができ、それによって、膝後部支持棒の所望の高さ位置を確立するとともに維持する。さらに、開示される装置は、離間した、安定化構造としての対向する平行な水平部材を使用することができ、そのような部材は、安定した装置の基礎を形成することができ、各支持ベース管は中央に固定された垂直な支柱を組み込み、対向する支柱の端を、回動支点を介して一意に一体化し、三角形を形成する。さらに、装置は、保管又は出荷を容易にするために、幾分平坦な構成に折り畳み可能である。
【００１３】
上記の簡単な説明は、以下の装置の説明をより良く理解することができるように、また、当該技術分野への本発明の貢献をより良く認識することができるように、開示される装置の特定の特徴をやや広範に記載している。これらは、当然ながら、以下で記載され、添付の特許請求の範囲の主題を全体的又は部分的に形成する、開示される装置の更なる特徴である。
【００１４】
したがって、開示される主題は、その用途が、以下で説明載されるか又は図面に示される構成の詳細及び部品の配置に限定されないことを理解されたい。開示される主題は、他の実施形態が可能であり、一定の寸法を有して製造されること、非折り畳み構成要素又は他の構造的なロック機構を含め、種々の方法で実施及び実行することが可能である。また、本明細書において使用される表現及び用語は、説明のためのものであり、限定するものとみなされるべきではないことを理解されたい。
【００１５】
したがって、本開示が基づく概念は、本発明の幾つかの目的を実行する他の構造、方法及びシステムを設計する基礎として容易に使用することができる。したがって、特許請求の範囲は、本明細書において記載される主題の主旨及び範囲から逸脱しない限り、そのような均等な構成を含むものとみなされることが重要である。
【００１６】
したがって、種々の目的を理解することができ、その１つ又は複数を、開示される主題が提供することができる。
１つの目的は、新規かつ固有の経済的に実現される受動的な膝関節の柔軟性リハビリテーション装置であって、装置の種々の要素を試験することができる、受動的な膝関節の柔軟性リハビリテーション装置を提供することである。
【００１７】
別の目的は、膝関節の柔軟性リハビリテーションである。
別の目的は、膝関節の強化リハビリテーションである。
別の目的は、膝関節の筋肉組織のけいれんの低減である。
【００１８】
別の目的は、膝関節の痛みの低減である。
別の目的は、膝関節の腫れの低減である。
別の目的は、大腿骨及び脛骨の後部交差の関係を適切かつ満足に支持し、膝関節の減圧を可能にするような構成を提供することである。
【００１９】
別の目的は、特に漸進的な膝関節の筋肉及び腱の伸張に向けて重力アシスト受動屈曲を促すことである。
別の目的は、パッド付きの水平な膝後部支持棒を提供することであり、この場合、パッドは、限定はされないが、ネオプレン、ポリスルフィド、シリコーン、ウレタン、ゲルのような材料から実現することができ、水平な膝後部支持棒は、所定の長さを有し、丸みを帯びた端を有することができる。
【００２０】
別の目的は、パッド付きの水平な膝後部支持棒を機械的に固定し、重力アシスト受動屈曲中に、個々の回復中の患者の膝の解剖学的構造に対して適切な長手方向の位置を提供することである。
【００２１】
別の目的は、上記調整可能な摺動ロッド支柱管の反対側の端部を、ベース足部とみなされ。限定はされないが、鉄又は非鉄金属、プラスチック、木、炭素繊維、複合材料、繊維ガラスのような材料から実現される、幾分より大きい直径の水平管に垂直に導入することであり、上記管は、意図的に予め定められた受け入れ穴又は接続中央部を組み込み、支柱管の外側壁の寸法よりも幾分寸法が低減され、支柱管の端は、対応する受け入れ接続部にしっかりと圧入され、この圧入の融合は、限定はされないが、機械的、溶解又は化学的な結合によって恒久的に固定される。
【００２２】
別の目的は、上記調整可能な摺動ロッド支柱管を、上記水平な管のベース足部に垂直に導入されるものとして提供し、上記調整可能な摺動ロッドの入口の下の確立された距離に位置付けられ、上記水平な管のベース足部に対して９０度に位置付けられる２つの目的の取り付けブラケットを備えることであり、一方で、上記取り付けブラケットの付属物は、幾分４時の位置に角度が付けられることができ、限定はされないが、機械的、化学的又は溶解による結合によって恒久的に固定され、上記取り付けブラケットは、限定はされないが、鉄又は非鉄金属、プラスチック、木、炭素繊維、複合材料、繊維ガラスのような材料から実現され、上記取り付けブラケットは、限定はされないが、鋳造、形成、成形、製造、スタンピング、機械加工によって実現される。
【００２３】
別の目的は、上記恒久的に固定される取り付けブラケットを、協働する第２の支柱管の外側寸法に等しい内側寸法を有するプロファイルを有する、所定の長さであるものとして提供することであり、そのようなプロファイルは、正方形のチャネルプロファイルを有し、チャネルの開口は、上記水平な管のベース足部に向かって下方に面して位置決めされ、上記正方形のチャネルから逸れて同一の所定の地点に位置付けられる横方向に対向する穴を組み込む。
【００２４】
別の目的は、ベース足部とみなされ、限定はされないが、鉄又は非鉄金属、プラスチック、木、炭素繊維、複合材料、繊維ガラスのような材料から実現される、第２の幾分より大きい直径の水平な管に垂直に導入される所定の長さである第２の上記支柱管を提供することであり、上記水平管のベース足部は、意図的に予め定められた受け入れ穴又は接続中央部を組み込み、上記第２の支柱管の外側壁の寸法よりも幾分寸法が低減され、支柱管の端は、対応する受け入れ接続部にしっかりと圧入され、この圧入の融合は、限定はされないが、機械的、溶解又は化学的な結合によって恒久的に固定される。
【００２５】
別の目的は、ベース足部とみなされる、幾分より大きい直径の管に垂直に導入されるとともに恒久的に固定される第２の上記支柱管を提供することであり、支柱管の反対側の端部は、上記２つの目的の取り付けブラケットにおいて言及した孔の直径に等しい、横方向に対向する孔を備え、当該孔は、上記ベース足部の水平な関係を考慮して平行に位置付けられる。
【００２６】
別の目的は、第２の上記支柱管を提供することであり、反対側の端部が横方向に対向する孔を含み、弧状の端を組み込み、一方で、円弧の弦は、上記支柱管の外径に等しく、それによって、円弧の高さ及び管の外側の半径は等しく、上記円弧の弦の中点は、上記対向する孔の中心と同じである。
【００２７】
別の目的は、円弧の端を有する、調整可能な摺動支柱管及び第２の支柱管の組み合わせを提供することであり、これらは、上記第２の支柱管の弧状の端を、対応する２つの目的のチャネル形状の上記取り付けブラケットに挿入することによって一体化され、挿入されると、各構成要素の上記横方向に対向する協働部の協働の位置合わせが位置合わせすることができ、したがって、限定はされないが、ボルト、ねじ又はピンの挿入を可能にし、回動支点として実現される。
【００２８】
別の目的は、調整可能な摺動支柱及び第２の支柱の組み合わせを提供することであり、上記回動支点を使用することで、第２の支柱の組み合わせが幾分平坦な折り畳まれた形態に旋回し、一方で、支柱足部が水平に平行に近接する。
【００２９】
別の目的は、回動支点の利用を活用することであり、それによって、支柱支持足部を所定の距離だけ広げ、固定された上記２つの目的の取り付けブラケットチャネルの内側上面に係合する回動支柱管の外面間の硬い接触面によって支配される距離を有し、それによって、安定した鋭角の三角形の支持フレーム構造を実現する。
【００３０】
別の目的は、新規の膝関節の重力アシスト受動屈曲装置であって、容易かつ効率的に製造及び市販可能な膝関節の重力アシスト受動屈曲装置を提供することである。
別の目的は、膝関節の重力アシスト受動屈曲装置であって、耐久性があり信頼性の高い構成である、膝関節の重力アシスト受動屈曲装置を提供することである。
【００３１】
別の目的は、新規の膝関節の重力アシスト受動屈曲装置であって、材料及び労力の双方に関して低い製造コストが可能であり、したがって、この場合、消費者である公衆に対して低価格の販売が可能であり、それによって、そのような膝関節の重力アシスト受動屈曲アセンブリを、購入する公衆に対して利用可能にする、膝関節の重力アシスト受動屈曲装置を提供することである。
【００３２】
ここで、図面を参照して、膝関節の柔軟性及びリハビリテーション用の新規かつ固有の装置をより十分に開示する。そのような装置、及び、そのような装置を使用する方法は、上記の目的のうちの１つ又は複数を満たすことができる。図１は、そのような装置の一実施形態の斜視図を提供する。装置は、必ずしも全周ではないが、膝後部支持棒２のほぼ全長を包囲する柔軟なパッド１を有することができ、上記パッド１は、何らかの形態の結合剤（例えば、糊、両面テープ、縫い付け、Ｖｅｌｃｒｏ（登録商標）若しくは何らかの他の市販の取り付け手段）によって、又は、単に摩擦若しくは機械的圧力によって都合よく留置される。膝後部支持棒は、ほぼ水平な向きであるものとすることができる。棒２及び直線的に移動する調整可能なロッド３は、機械的に接合することができる。上記直線的に移動するロッド３は、ロッド３をピン５又は任意の他の好適なロック機構によって垂直位置にロックするのに用いることができる１つ又は複数の穴４を含むことができる。
【００３３】
摺動棒支柱管６が、水平な支柱支持管足部７に、例えば中央接合部８、又は、支持管足部７の端において固定される構造的な支持構成要素として機能することができる。上記支柱管６はハウジングとしても機能することができ、上記摺動ロッド３が誘導地点９において当該管ハウジング６に挿入されると、内部で上記摺動ロッド又は棒３が決まった直線距離を並進移動することができる。最後に、摺動棒支柱管ハウジング６には、マルチタスクブラケット１０を固定することができる。ブラケット１０は、基準点１１等において、上記誘導地点９の下に位置付けることができ、支柱支持管足部７に対して角度をなして配置することができる。
【００３４】
上記ロッド３は、上記支柱管６内で自由に回転することができる。幾つかの実施形態では、ロッド３は、ピン５を支柱管６の穴１８を通して挿入するとともに、穴１８と位置合わせされる穴４のうちの１つに更に挿入することによって回転に抗して固定されることができる。そのような固定は、ロッド３の並進移動を更に防止することができる。
【００３５】
回動支持支柱管１２が、中央接合部１４等において水平な支柱支持管足部１３に固定される構造的な支持部材として機能することができる。上記支柱管１２の反対側の端部は、上記ブラケット１０の対応する受け部１５に導入することができる。そのような導入部は、固定するか又は回動可能であるものとすることができる。回動可能な導入は、参照符号１６によって示される、挿入される回動ピンを設けること等によって、回動地点によって対応することができる。それによって、回動支持支柱管１２が意図される係合受け地点１５においてマルチタスクブラケット１０に係合する、示される回動地点１６を使用して、２つの協働する対向する水平な支柱支持管足部７及び１２を広げることによって、安定した、剛性の、重力アシスト受動屈曲式の膝関節の柔軟性リハビリテーション用後部支持装置を提供することができる。
【００３６】
図２は、支持棒２の２つの例示的な垂直位置を示している。図１の装置を使用する例示的な方法を、図２及び図３の説明と関連して記載する。回復中の患者３０を、理学療法処置台３２又は他のそのような頑丈な安定した表面上に仰臥位で配置することができ、それによって、患者は、自身の足を平坦に載せた状態で、リハビリテーションを行わない脚を上方に方向付けられる４５度の角度で任意選択的に曲げることができるか、又は、任意選択的に、リハビリテーションを行わない脚を全体に水平に延ばしておくことができる。その後、回復中の膝３４の後部３６の下に概ねセンタリングされる、膝関節の柔軟性リハビリテーション用の装置を導入し、それによって、支柱支持管足部７は、患者の臀部（複数の場合もあり）３８に隣接して台に当たるか又は配置されることができ、それによって、摺動棒支柱管ハウジング６及び直線移動する調整可能な摺動ロッド３の組み合わせが、患者の下腿４０の後面に僅かに係合することができ、それによって、下腿が組み合わせ体の鋭角を模倣することを促進する。患者の回復中の膝関節３４の後部３６は次に、上記支持棒２の所望の高さが確立された状態で、水平な膝後部支持棒２に載ることができる。上記支持棒２の所望の高さに対応することは、ロックピン５を取り外すことによって達成することができ、したがって、上記摺動ロッド３が上昇するか又は下降する方向のいずれかに自由に直線移動１７することを可能にする。ロックピン５の再係合は、ロッド３の穴４と支持体６の穴１８とを位置合わせするとともに、上記ロックピン５を挿入することによって達成することができる。当然ながら、患者の膝関節の双方がリハビリテーションを必要とする場合、２つのそのような装置を有利に同時に使用することができる。他の実施形態では、支持棒２は、患者の膝関節の双方を支持するのに十分な長さであるものとすることができ、２つ以上のロッド３及び２つ以上の支柱管６を用いて、装置における単一の支持棒又は２つ以上の支持棒２を支持することができる。
【００３７】
摺動ロッド３の自由な回転運動が所望される場合、ロックピン５を、支持リング１９の上のロッド３の適切な穴４に挿入することができ、それによって、患者の脚部の垂直荷重を、ロックピン５を通じて支持リング１９の上部まで伝達することができる。直線移動が調整可能な摺動ロッド３がそのように配置されることで、膝後部支持棒２は、対向する水平な支柱支持管足部７及び１３のそれぞれと一時的に平行であるものとすることができる。患者の下腿４２は、ここで、水平な膝後部支持棒２にわたって延びることができ、それによって、上記支持棒２は支点として機能することができる。１６として参照される回動ピンを使用する、回動支持支柱管１２及び摺動棒支柱管ハウジング６のマルチタスクブラケット１０の組み合わせの係合は、上記支柱管１２を片持ち梁式にすることができ、それによって、鋭角の支持構造を確立する。さらに、膝後部支持棒２の端２１の中央から開始する仮想の中心線２０を考慮すると、鉛直方向下方に移動して、対向する水平な支柱支持管足部７及び１３間で仮想的に終わり、上記中心線２０に隣接する対向する直角をシミュレートし、上記管７の対向する角度の線２３よりも更に前方に延びる上記管足部１３の対向する角度の線２２を明らかにする。この鋭角の三角形の構造を有することで、膝関節の重力アシスト受動屈曲中に実現される可能性がある何らかの前方に急激に動くか又は落ちる効果を有益に無効にすることができる。ここで、図１を再び参照すると、水平な支柱支持管足部７及び１３の長さに対する水平な膝後部支持棒２の長さが等しいか又はより長いことを考慮することで、水平な膝後部支持棒２の何らかの不随意の横方向の又は横揺れする動きを決定的に軽減することができる。
【００３８】
図１の実施形態の分解した図である図４を引き続き参照すると、端部キャップ２４を、支持体７及び１３の各端にそれぞれ挿入することができる。支柱及び支持管、ロッド並びに／又は棒は、円形、正方形、多角形、チャネル、角があるといったような任意の好適な断面構造を有することができる。足部は、筒状、角がある、チャネル又はプレートの構造的な部材を含むことができる。
【００３９】
したがって、上記は、新規の膝関節の柔軟性リハビリテーション装置を記載している。膝関節の柔軟性リハビリテーション装置は、具体的には膝関節の重力アシスト受動屈曲に意図されているものとすることができる。膝関節の柔軟性リハビリテーション装置を用いて、特に膝関節の硬直、柔軟性及び強化のための膝のリハビリテーション処置を提供することができる。膝関節の柔軟性リハビリテーションを用いて、特に腫れの低減、痛みの低減、けいれんの低減及び圧迫の低減のための膝のリハビリテーション処置を提供することができる。膝関節の柔軟性リハビリテーション装置を用いて、特に損傷の回復、関節炎の軽減治療、骨折の回復及び手術の回復のための膝のリハビリテーション処置を提供することができる。膝関節の柔軟性リハビリテーション装置は、術後の回復中の膝関節他の大腿骨及び脛骨の後部交差の関係に適切であるとともに満足がいくように支持する構成を提供することができる。膝関節の柔軟性リハビリテーション装置は、特に漸進的な膝関節の減圧並びに筋肉及び腱の伸張に向けた意図的な重力アシスト受動屈曲を促すことができる。
【００４０】
開示される主題及びその利点を詳細に記載したが、添付の特許請求の範囲によって規定されるような本発明から逸脱することなく、本明細書において種々の変更、代替及び変形を行うことができることを理解されたい。さらに、特許請求される主題の範囲は、本明細書において記載されるプロセス、機械、製造、組成物又は物質、手段、方法及びステップの特定の実施形態に限定されることは意図されない。本開示から容易に理解されるように、本明細書において記載される対応する実施形態と実質的に同じ機能を果たすか又は実質的に同じ結果を達成する、現時点で存在するか又は後に開発されるプロセス、機械、製造、物質の組成物、手段、方法又はステップを使用することができる。したがって、添付の特許請求の範囲は、それらの範囲内で、そのようなプロセス、機械、製造、物質の組成物、手段、方法又はステップを備えることが意図される。
【図１】
2017508584.tif 000003
【図２】
2017508584.tif 000004
【図３】
2017508584.tif 000005
【図４】
2017508584.tif 000006
【国際調査報告】
2017508584.tif 000007